(57)【要約】コード読み取り装置（１）は、コード情報を読み取るコードリーダ（１５）と、メモリ（３１）と、データ処理制御部（３２）とを備える。データ処理制御部（３２）は、コードリーダが読み取ったコード情報をメモリ（３１）のコード情報記憶領域（３１１）へ記憶し、データ保持装置が接続されたときにデータを読み出してメモリ（３１）のデータ記憶領域（３１２）へ記憶し、パーソナルコンピュータが接続されたときに、データ記憶領域（３１２）のデータを、コード情報記憶領域（３１１）のコード情報と関連づけられた状態で送出する。
2009099148.tif 000002
【特許請求の範囲】
【請求項１】
コード情報を読み取るコードリーダと、
データ保持装置に接続するための第１の接続部と、
データ処理装置に接続するための第２の接続部と、
コード情報を記憶するコード情報記憶領域と、取得したデータを記憶するデータ記憶領域とを有するメモリと、
データ処理制御部とを備え、
前記データ処理制御部が、
前記コードリーダがコード情報を読み取ったとき、読み取ったコード情報を前記メモリのコード情報記憶領域へ記憶し、
前記第１の接続部にデータ保持装置が接続されたときに、接続されたデータ保持装置からデータを読み出して前記メモリのデータ記憶領域へ記憶し、
前記第２の接続部にデータ処理装置が接続されたときに、前記データ記憶領域のデータを、前記コード情報記憶領域のコード情報と関連づけられた状態で、前記データ処理装置へ送出することを特徴とするコード読み取り装置。
【請求項２】
コード情報を読み取るコードリーダと、
データ保持装置に接続するための第１の接続部と、
コード情報を記憶するコード情報記憶領域と、取得したデータを記憶するデータ記憶領域とを有するメモリと、
データ処理制御部とを備え、
前記データ処理制御部が、
前記コードリーダがコード情報を読み取ったとき、読み取ったコード情報を前記メモリのコード情報記憶領域へ記憶し、
前記第１の接続部にデータ保持装置が接続されたときに、接続されたデータ保持装置からデータを読み出して前記メモリのデータ記憶領域へ記憶し、
前記メモリは、データ処理装置で読み取り可能な可搬型メモリであって、前記データ処理装置に接続されたときに、前記データ記憶領域のデータが、前記コード情報記憶領域のコード情報と関連づけられた状態で、前記データ処理装置に読み出されることを特徴とするコード読み取り装置。
【請求項３】
前記メモリのコード情報記憶領域が、複数のコード情報を記憶可能に設けられ、
前記データ処理制御部が、前記第１の接続部にデータ保持装置が接続されたときに、データ保持装置から読み出したデータを、前記コード情報記憶領域に記憶されているいずれかのコード情報と関連づけて前記データ記憶領域へ記憶する、請求項１または２に記載のコード読み取り装置。
【請求項４】
前記データ保持装置が血糖計である、請求項１〜３のいずれか一項に記載のコード読み取り装置。
【請求項５】
前記コード情報が、前記血糖計のキャリブレーションに用いられるコントロール液の諸元データである、請求項４に記載のコード読み取り装置。
【請求項６】
前記データ保持装置がインシュリンポンプである、請求項１〜３のいずれか一項に記載のコード読み取り装置。
【請求項７】
前記データ処理制御部が前記データ保持装置から読み出すデータは、当該データ保持装置を特定する識別子を含み、
前記データ処理制御部は、新たなデータに対応するコード情報が前記コードリーダによって読み取られていないとき、前記メモリを参照し、前記データ保持装置から読み出されたデータに含まれる前記識別子と同じ識別子を有する過去のデータが存在する場合、当該過去のデータに関連づけられているコード情報を、前記新たなデータにコード情報として関連づける、請求項１〜６のいずれか一項に記載のコード読み取り装置。
【請求項８】
前記メモリに記憶されたコード情報およびデータの少なくとも一方を表示可能なディスプレイをさらに備えた、請求項１〜７のいずれか一項に記載のコード読み取り装置。
【請求項９】
コード読み取り装置と、データ保持装置と、データ処理装置とを備えたデータ収集システムであって、
前記コード読み取り装置が、
コード情報を読み取るコードリーダと、
データ保持装置に接続するための第１の接続部と、
データ処理装置に接続するための第２の接続部と、
コード情報を記憶するコード情報記憶領域と、取得したデータを記憶するデータ記憶領域とを有するメモリと、
データ処理制御部とを備え、
前記コード読み取り装置のデータ処理制御部が、
前記コードリーダがコード情報を読み取ったとき、読み取ったコード情報を前記メモリのコード情報記憶領域へ記憶し、
前記第１の接続部にデータ保持装置が接続されたときに、接続されたデータ保持装置からデータを読み出して前記メモリのデータ記憶領域へ記憶し、
前記第２の接続部にデータ処理装置が接続されたときに、前記データ記憶領域のデータを、前記コード情報記憶領域のコード情報と関連づけられた状態で、前記データ処理装置へ送出することを特徴とするデータ収集システム。
【請求項１０】
コード読み取り装置と、データ保持装置と、データ処理装置とを備えたデータ収集システムであって、
前記コード読み取り装置が、
コード情報を読み取るコードリーダと、
データ保持装置に接続するための第１の接続部と、
コード情報を記憶するコード情報記憶領域と、取得したデータを記憶するデータ記憶領域とを有するメモリと、
データ処理制御部とを備え、
前記データ処理制御部が、
前記コードリーダがコード情報を読み取ったとき、読み取ったコード情報を前記メモリのコード情報記憶領域へ記憶し、
前記第１の接続部にデータ保持装置が接続されたときに、接続されたデータ保持装置からデータを読み出して前記メモリのデータ記憶領域へ記憶し、
前記メモリは、データ処理装置で読み取り可能な可搬型メモリであって、前記データ処理装置に接続されたときに、前記データ記憶領域のデータが、前記コード情報記憶領域のコード情報と関連づけられた状態で、前記データ処理装置に読み出されることを特徴とするデータ収集システム。
【発明の詳細な説明】
【技術分野】
【０００１】
本発明は、バーコード等のコード情報を読み取るために用いられるコード情報読み取り装置であって、特に、測定器等のデータ保持装置からデータを収集し、収集したデータをデータ処理装置へ送出する機能を有するコード読み取り装置と、これを利用した測定データ収集システムに関する。
【背景技術】
【０００２】
従来、血糖計などの測定器で測定されたデータを管理または集計するために、これらの測定器をデータ管理システムに接続し、データ管理システムが測定器から測定データを取得する仕組みが提案されている（例えば、特許第４０２３８１７号公報参照）。
【発明の開示】
【発明が解決しようとする課題】
【０００３】
このようなシステムにおいては、データの管理を正確かつ効率的に行うために、取得したデータに対して、例えば測定日時や患者識別子等の様々な情報を付加したい場合がある。【０００４】
そこで、本発明は、測定器等のデータ保持装置に接続するだけでデータ保持装置からデータを取得すると共に、簡単に、様々な情報を取得データに関連づけることができるコード読み取り装置およびこれを用いたデータ収集システムを提供することを目的とする。
【課題を解決するための手段】
【０００５】
上記の目的を達成するために、本発明にかかる第１のコード読み取り装置は、コード情報を読み取るコードリーダと、データ保持装置に接続するための第１の接続部と、データ処理装置に接続するための第２の接続部と、コード情報を記憶するコード情報記憶領域と、取得したデータを記憶するデータ記憶領域とを有するメモリと、データ処理制御部とを備え、前記データ処理制御部が、前記コードリーダがコード情報を読み取ったとき、読み取ったコード情報を前記メモリのコード情報記憶領域へ記憶し、前記第１の接続部にデータ保持装置が接続されたときに、接続されたデータ保持装置からデータを読み出して前記メモリのデータ記憶領域へ記憶し、前記第２の接続部にデータ処理装置が接続されたときに、前記データ記憶領域のデータを、前記コード情報記憶領域のコード情報と関連づけられた状態で、前記データ処理装置へ送出することを特徴とする。【０００６】
データ保持装置とは、外部の事象から測定データを生成して保持する測定器の他に、自装置の動作状況等の内部データを保持する装置も含む。前記の内部データには、正常時の動作履歴を表すデータ、故障情報、または、エラー情報等が含まれる。上記の構成によれば、コードリーダで読み取られたコード情報が、コード読み取り装置のメモリにおけるコード情報記憶領域へ記憶され、データ保持装置から読み出されたデータが、前記メモリにおけるデータ記憶領域へ記憶される。そして、データ処理装置が接続されたときに、これらのコード情報とデータが関連づけられた状態でデータ処理装置へ送出される。なお、コード情報とデータとの関連づけは、データがコード読み取り装置のメモリに格納される時点でなされても良いし、データをデータ処理装置へ送出する時点でなされても良い。これにより、コードリーダで何らかのコード情報を読み取るだけで、そのコード情報をデータに関連づけた状態でデータ処理装置へ収集することができる。なお、コード情報は、コードリーダで読み取りが可能な情報であれば、そのフォーマットや内容について何らの限定はない。また、コードリーダは、例えば二次元または三次元のバーコードを読み取るバーコードリーダやＯＣＲ（Optical Character Recognition）リーダ等の光学式読み取り方式を用いるものの他、磁気的にコードを読み取るものや、ＲＦＩＤ（Radio Frequency Identification）のように電磁波を用いてコードを読み取るもの等、種々の読み取り方式によるものを採用することができる。【０００７】
上記の目的を達成するために、本発明にかかる第２のコード読み取り装置は、コード情報を読み取るコードリーダと、データ保持装置に接続するための第１の接続部と、コード情報を記憶するコード情報記憶領域と、取得したデータを記憶するデータ記憶領域とを有するメモリと、データ処理制御部とを備え、前記データ処理制御部が、前記コードリーダがコード情報を読み取ったとき、読み取ったコード情報を前記メモリのコード情報記憶領域へ記憶し、前記第１の接続部にデータ保持装置が接続されたときに、接続されたデータ保持装置からデータを読み出して前記メモリのデータ記憶領域へ記憶し、前記メモリは、データ処理装置で読み取り可能な可搬型メモリであって、前記データ処理装置に接続されたときに、前記データ記憶領域のデータが、前記コード情報記憶領域のコード情報と関連づけられた状態で、前記データ処理装置に読み出されることを特徴とする。【０００８】
この構成においても、コードリーダで読み取られたコード情報が、コード読み取り装置のメモリにおけるコード情報記憶領域へ記憶され、データ保持装置から読み出されたデータが、可搬型メモリにおけるデータ記憶領域へ記憶される。そして、この可搬型メモリをデータ処理装置に接続したときに、コード情報とデータとが関連づけられた状態でデータ処理装置に読み出される。なお、コード情報とデータとの関連づけは、データがメモリに格納される時点でなされても良いし、データがデータ処理装置に読み出される時点でなされても良い。これにより、コードリーダで何らかのコード情報を読み取るだけで、そのコード情報をデータに関連づけた状態でデータ処理装置へ収集することができる。【０００９】
本発明にかかる第１および第２のコード読み取り装置において、前記メモリのコード情報記憶領域が、複数のコード情報を記憶可能に設けられ、前記データ処理制御部が、前記第１の接続部にデータ保持装置が接続されたときに、データ保持装置から読み出したデータを、前記コード情報記憶領域に記憶されているいずれかのコード情報と関連づけて前記データ記憶領域へ記憶することが好ましい。【００１０】
本発明にかかる第１および第２のコード読み取り装置に接続されるデータ保持装置としては、例えば、血糖計等の測定装置を用いることができる。この場合、血糖計等の測定装置によって測定されたデータが、データ保持装置からコード読み取り装置へ収集されることとなる。また、この場合、前記コード情報が、前記血糖計のキャリブレーションに用いられるコントロール液の諸元データであることが好ましい。キャリブレーションに用いるコントロール液の諸元データをコード情報として測定データに関連づけることにより、血糖計のトレーサビリティ管理が容易になるからである。【００１１】
また、本発明にかかる第１および第２のコード読み取り装置に接続されるデータ保持装置としては、例えば、インシュリンポンプ等の装置を用いることもできる。この場合、インシュリンの供給状況データ等の、自装置の動作状況を表すデータが、データ保持装置からコード読み取り装置へ収集されることとなる。【００１２】
また、本発明にかかる第１および第２のコード読み取り装置において、前記データ処理制御部が前記データ保持装置から読み出すデータは、当該データ保持装置を特定する識別子を含み、前記データ処理制御部は、新たなデータに対応するコード情報が前記コードリーダによって読み取られていないとき、前記メモリを参照し、前記データ保持装置から読み出されたデータに含まれる前記識別子と同じ識別子を有する過去のデータが存在する場合、当該過去のデータに関連づけられているコード情報を、前記新たなデータにコード情報として関連づけることが好ましい。この好ましい構成によれば、一旦コード情報を読み取ってコード情報記憶領域に格納されていれば、その後に、同じ識別子を有するデータ保持装置からのデータを収集する際に、その識別子と同じ識別子を有する過去のデータに関連づけられているコード情報を用いることにより、コード情報の再読み取り操作を省略することができる。【００１３】
本発明にかかる第１および第２のコード読み取り装置は、前記メモリに記憶されたコード情報およびデータの少なくとも一方を表示可能なディスプレイをさらに備えた構成としてもよい。この構成によれば、コード読み取り装置のディスプレイを利用して、メモリに記憶されたコード情報およびデータを確認することができる。【００１４】
また、上記の目的を達成するために、本発明にかかる第１のデータ収集システムは、コード読み取り装置と、データ保持装置と、データ処理装置とを備えたデータ収集システムであって、前記コード読み取り装置が、コード情報を読み取るコードリーダと、データ保持装置に接続するための第１の接続部と、データ処理装置に接続するための第２の接続部と、コード情報を記憶するコード情報記憶領域と、取得したデータを記憶するデータ記憶領域とを有するメモリと、データ処理制御部とを備え、前記コード読み取り装置のデータ処理制御部が、前記コードリーダがコード情報を読み取ったとき、読み取ったコード情報を前記メモリのコード情報記憶領域へ記憶し、前記第１の接続部にデータ保持装置が接続されたときに、接続されたデータ保持装置からデータを読み出して前記メモリのデータ記憶領域へ記憶し、前記第２の接続部にデータ処理装置が接続されたときに、前記データ記憶領域のデータを、前記コード情報記憶領域のコード情報と関連づけられた状態で、前記データ処理装置へ送出することを特徴とする。【００１５】
このシステムによれば、コード読み取り装置で何らかのコード情報を読み取れば、そのコード情報をデータに関連づけた状態でデータ処理装置へ収集することができる。【００１６】
また、上記の目的を達成するために、本発明にかかる第２のデータ収集システムは、コード読み取り装置と、データ保持装置と、データ処理装置とを備えたデータ収集システムであって、前記コード読み取り装置が、コード情報を読み取るコードリーダと、データ保持装置に接続するための第１の接続部と、コード情報を記憶するコード情報記憶領域と、取得したデータを記憶するデータ記憶領域とを有するメモリと、データ処理制御部とを備え、前記データ処理制御部が、前記コードリーダがコード情報を読み取ったとき、読み取ったコード情報を前記メモリのコード情報記憶領域へ記憶し、前記第１の接続部にデータ保持装置が接続されたときに、接続されたデータ保持装置からデータを読み出して前記メモリのデータ記憶領域へ記憶し、前記メモリは、データ処理装置で読み取り可能な可搬型メモリであって、前記データ処理装置に接続されたときに、前記データ記憶領域のデータが、前記コード情報記憶領域のコード情報と関連づけられた状態で、前記データ処理装置に読み出されることを特徴とする。【００１７】
このシステムによっても、コード読み取り装置で何らかのコード情報を読み取れば、そのコード情報をデータに関連づけた状態でデータ処理装置へ収集することができる。
【発明の効果】
【００１８】
本発明によれば、コード情報を読み取った後、データ保持装置に接続するだけの簡単な操作でデータ保持装置からデータを収集し、さらに、収集したデータと読み取ったコード情報とを関連づけた状態でデータ処理装置へ送出することにより、データの管理を容易とするコード読み取り装置と、これを用いたデータ収集システムとを提供できる。
【図面の簡単な説明】
【００１９】
【図１Ａ】図１Ａは、本発明の第１の実施形態にかかるコード読み取り装置の外観を示す斜視図である。
【図１Ｂ】図１Ｂは、本発明の第１の実施形態にかかるコード読み取り装置の外観を示す斜視図である。
【図２Ａ】図２Ａは、コード読み取り装置を血糖計に取り付けた状態を示す斜視図である。
【図２Ｂ】図２Ｂは、コード読み取り装置を血糖計に取り付けた状態を示す斜視図である。
【図３】図３は、コード読み取り装置の機能的概略構成を示すブロック図である。
【図４】図４は、コード読み取り装置のメモリに格納されているデータの一例を示す模式図である。
【図５】図５は、第１の実施形態にかかるコード読み取り装置の変形例の外観を示す斜視図である。
【図６】図６は、第１の実施形態にかかるコード読み取り装置を用いた測定データの収集方法の手順を示すフローチャートである。
【図７】図７は、本発明の第２の実施形態にかかるコード読み取り装置を用いた測定データの収集方法の手順を示すフローチャートである。
【図８】図８は、本発明の第３の実施形態にかかるデータ収集システムの機能的概略構成を示すブロック図である。
【発明を実施するための最良の形態】
【００２０】
以下、本発明の実施形態について、図面を参照しながら以下に説明する。【００２１】
［第１の実施形態］
図１Ａおよび図１Ｂは、本発明の一実施形態にかかるコード読み取り装置１の外観を示す斜視図である。図１Ａに示すように、コード読み取り装置１は、本体１０に、血糖計との接続ケーブル１１（第１の接続部）と、データ処理装置としてのパーソナルコンピュータとの接続端子１２（第２の接続部）とを有している。本体１０の一面には、操作ボタン１３と、状態表示ＬＥＤ１４とが設けられている。【００２２】
なお、本実施形態においては、データ保持装置が血糖計であり、データ処理装置がパーソナルコンピュータである例を説明するが、データ保持装置は血糖計に限定されず、データ処理装置もパーソナルコンピュータに限定されない。なお、データ保持装置は、血糖計のような測定器に限定されず、例えばインシュリンポンプのように、自装置の動作状況等のデータを保持する任意の装置も含まれる。【００２３】
また、図１Ｂに示すように、本体１０の先端部には、バーコード読み取り部１５（コードリーダ）が設けられている。バーコード読み取り部１５には、赤色ＬＥＤとＣ−ＭＯＳカメラ（いずれも図示省略）が設けられている。ユーザが操作ボタン１３を押すと、赤色ＬＥＤからバーコードに赤色光が照射され、その反射光をＣ−ＭＯＳカメラで読み取ることにより、バーコードの読み取りが行われる。状態表示ＬＥＤ１４は、本実施形態においてはバーコードの読み取り状況等を表すが必須ではない。本体１０の裏面（操作ボタン１３と状態表示ＬＥＤ１４が設けられた面とは反対側の面）には、電池交換時に開ける蓋１６が設けられている。【００２４】
図２Ａおよび図２Ｂは、コード読み取り装置１を血糖計２に取り付けた状態を示す斜視図である。図２Ａおよび図２Ｂに示すように、接続ケーブル１１が血糖計２のプラグジャック２１に差し込まれることにより、コード読み取り装置１が血糖計２に接続される。【００２５】
血糖計２は、操作メニューや測定結果等を表示するためのディスプレイ２２と、血糖値センサの差し込み口２３とを有している。血糖計２のユーザは、使い捨ての血糖値センサ（図示せず）を差し込み口２３に差し込み、穿刺具を用いて指先等から微量の血液を出し、その血液をセンサに吸入させることにより、血糖値の測定を行う。【００２６】
コード読み取り装置１は、血糖計２に接続しない状態であっても、また、このように血糖計２に接続された状態であっても、バーコードの読み取りが可能である。また、血糖計２は、コード読み取り装置１が接続されていなくても、また、コード読み取り装置１が接続された状態であっても、血糖値の測定が可能である。また、血糖計２は、測定した血糖値を、その測定日時情報と共に、複数回分記憶しておくメモリを有している。また、血糖計２は、固有の血糖計ＩＤを割り当てられ、そのＩＤが内部メモリに記憶されている。【００２７】
図３は、コード読み取り装置１の機能的概略構成を示すブロック図である。図３に示すように、コード読み取り装置１は、メモリ３１とデータ処理制御部３２とを備えている。メモリ３１は、バーコード読み取り部１５で読み取ったバーコードが表すコード情報を記憶する領域３１１と、血糖計２から収集した測定データを記憶する領域３１２とを有している。なお、これらの領域３１１，３１２は、必ずしも、物理的に分離された領域でなくて良い。つまり、コード情報を記憶する領域３１１と、測定データを記憶する領域３１２とが、メモリ３１内に分散して混在していてもよい。【００２８】
データ処理制御部３２は、バーコード読み取り部１５がバーコードを読み取ったときに、読み取ったバーコードが表すコード情報を、メモリ３１の領域３１１へ記憶する。また、データ処理制御部３２は、接続ケーブル１１に血糖計２が接続されたときに、血糖計２から測定データを読み出してメモリ３１の領域３１２へ記憶する。さらに、データ処理制御部３２は、接続端子１２にパーソナルコンピュータが接続されたときに、領域３１２の測定データを、領域３１１に記憶されているコード情報と関連づけて、パーソナルコンピュータへ送出する。【００２９】
なお、メモリ３１は、コード情報と測定データとが関連づけて記憶できるよう構成されている。このときのデータ構造は任意であるが、測定データの各レコードの一項目として、関連づけるべきコード情報そのものが記憶されるデータ構造であっても良いし、測定データの各レコードの一項目として、関連づけるべきコード情報の格納場所（アドレス等）が記憶されるデータ構造であっても良い。【００３０】
ここで、コード読み取り装置１の使用方法の一例について、図６を参照しながら説明する。本実施形態にかかるコード読み取り装置１は、例えば、病院等で入院患者が個々に所有している血糖計２から測定データを収集する際に利用できる。例えば、ある病院で、病棟Ａのｎ名の患者Ａ１〜Ａｎと、病棟Ｂのｍ名の患者Ｂ１〜Ｂｍが、個々に所有する血糖計２を使用して一日数回血糖値の測定を行っており、看護師が、１日１回、これらの患者の測定データを収集するものとする。【００３１】
この場合、病棟コードを表すバーコードが印刷されたカード等を準備しておく。そして、看護師が、まず、コード読み取り装置１を用いて、このカードから病棟Ａの病棟コードを表すバーコードを読み取る。読み取られた病棟Ａの病棟コードは、メモリ３１の領域３１１に記憶される（ステップＳ１）。次に、看護師は、コード読み取り装置１を持って病棟Ａを巡回する。【００３２】
看護師は、まず、患者Ａ１の血糖計２にコード読み取り装置１を接続する。これにより、患者Ａ１の血糖計２から、コード読み取り装置１へ測定データが送られる。測定データは測定日時と共に、メモリ３１の領域３１２へ格納される（ステップＳ２）。なお、このとき、血糖計２の血糖計ＩＤも測定データ等と共に収集され、メモリ３１の領域３１２へ格納される。看護師は、患者Ａ１の血糖計２からのデータ収集が完了すると、次に、患者Ａ２の血糖計２をコード読み取り装置１へ接続し、データ収集を行う。以降、同様の手順により、この病棟Ａの患者Ａ１〜Ａｎの全てについて測定データの収集を完了する（ステップＳ２〜Ｓ３）。次に、看護師は、上記のカードから、病棟Ｂの病棟コードを表すバーコードを読み取る。読み取られた病棟Ｂの病棟コードは、メモリ３１の領域３１１に記憶される。次に、看護師は、コード読み取り装置１を持って病棟Ｂを巡回し、上記と同様の手順により、病棟Ｂの患者Ｂ１〜Ｂｍの測定データを収集する。【００３３】
ここで、コード読み取り装置１のメモリ３１に格納されているデータの一例を、図４に示す。図４に示すとおり、メモリ３１には、バーコードから読み取られた病棟コードと、それぞれの病棟の患者が所有する血糖計２から読み取られたデータとが、関連づけられた状態で格納されている。つまり、病棟Ａの病棟コードを表すバーコードを読み取った後に収集された血糖値は、病棟Ａの病棟コードｘｘｘｘｘに関連づけられてメモリ３１に格納されている。また、病棟Ｂの病棟コードを表すバーコードを読み取った後に収集された血糖値は、病棟Ｂの病棟コードｙｙｙｙｙに関連づけられてメモリ３１に格納されている。例えば、「１１２３４４」は、患者Ａ１が所有する血糖計２の血糖計ＩＤであり、「１１３３４５」は患者Ａ２が所有する血糖計２の血糖計ＩＤである。【００３４】
看護師は、上述の手順によりデータ収集が完了すると（ステップＳ４）、詰め所等に設置されているパーソナルコンピュータへコード読み取り装置１を接続する。これにより、コード読み取り装置１からパーソナルコンピュータへ、データ処理制御部３２を介して、メモリ３１に格納されているデータが送出される（ステップＳ５）。これにより、パーソナルコンピュータでは、コード読み取り装置１を接続するだけで、多くの患者の血糖値データを極めて容易に収集することができる。なお、メモリ３１からパーソナルコンピュータへデータの送出が完了すると、データ処理制御部３２が、メモリ３１に蓄積されていたデータを削除するようにしても良い。メモリ３１の容量を有効に利用するためである。【００３５】
以上のとおり、コード読み取り装置１によれば、バーコード読み取り部１５で読み取ったコード情報を、測定データに容易に関連付けることができる。また、上述の例では、病棟コードをコード情報として例示したが、バーコード読み取り部１５で読み取って測定データに関連づけるコード情報の例はこれに限定されない。例えば、検査室を特定するコード情報、診療科を特定するコード情報、担当医師や看護師等を特定するコード情報、あるいは、患者を特定するコード情報等、種々のコード情報をバーコード読み取り部１５で読み取って測定データに関連づけることが考えられる。また、測定データに関連づけるコード情報は１つに限らず、複数種類のコード情報をバーコード読み取り部１５で読み取って測定データに関連づけてもよい。このように種々のコード情報を関連づけることにより、測定データのトレーサビリティを向上させることができる。また、コード情報をバーコードで読み取るだけで良いので、操作が簡便であるという利点がある。【００３６】
なお、上記の例では、全患者が１台ずつ血糖計２を保持しているものとしたが、患者には血糖計２を所有させず、看護師が血糖計２を持って巡回し、１つの血糖計で複数の患者の血糖値を測定することも考えられる。その場合は、看護師が、コード読み取り装置１と血糖計２とを持って患者のところへ行く。そして、患者ＩＤを表すバーコードを印刷したカードや患者のリストバンド等から、コード読み取り装置１で患者ＩＤを読み取り、その場で血糖計２を用いて当該患者の血糖値を測定し、この血糖計２にコード読み取り装置１を接続すればよい。あるいは、コード読み取り装置１を接続した状態で、血糖計２によって患者の血糖値を測定しても良い。これにより、測定された血糖値と患者ＩＤとを関連づけた状態で読み取り装置１に記憶し、後で、これをパーソナルコンピュータへ送出することができる。【００３７】
また、コード読み取り装置１は、血糖計２のキャリブレーションに利用することも可能である。通常、血糖計２のキャリブレーションは、コントロール液と呼ばれる所定の濃度を有するブドウ糖水溶液を、血液の代わりに血糖値センサに付着させ、この糖度を測定することによって行う。このキャリブレーションに用いるコントロール液の諸元データ（濃度、使用期限など）を、コントロール液の製造者がバーコード化してボトル等に印刷しておく。そして、キャリブレーションを行う際に、まず、コード読み取り装置１でコントロール液のボトルのバーコードを読み取った後、そのコントロール液を用いて血糖計２で測定を行い、この血糖計２にコード読み取り装置１を接続する。あるいは、コード読み取り装置１を接続した状態で、血糖計２によってコントロール液の測定を行っても良い。これにより、コントロール液による測定結果と、コントロール測定された血糖値と患者ＩＤとを関連づけた状態で読み取り装置１に記憶し、後で、これをパーソナルコンピュータへ送出することができる。【００３８】
また、コード読み取り装置１を、図５に示すように、液晶ディスプレイ１９を備えた構成とし、この液晶ディスプレイ１９に、メモリ３１に記憶されているコード情報や測定データを表示できるようにすることも好ましい。この構成によれば、例えば、バーコードを読み取った際に読み取ったコード情報を確認したり、血糖計２から測定データを読み取った際に読み取った測定データそのものや、コード情報と測定データとの関連づけなどを確認したりすることができる。なお、ここでは液晶ディスプレイを例示したが、ディスプレイの種類は任意である。【００３９】
また、メモリ３１は、コード読み取り装置１の内蔵メモリで実現しても良いが、コード読み取り装置１とデータ処置装置との間で互換性を有する可搬型メモリで構成しても良い。可搬型メモリとしては、これらにのみ限定されないが、例えば、ＵＳＢメモリ、ＳＤカード等の各種メモリカード、あるいは、メモリスティック等を用いることができる。この場合、コード読み取り装置１をデータ処理装置に接続する代わりに、前記可搬型メモリをコード読み取り装置１から取り外してパーソナルコンピュータに接続し、パーソナルコンピュータから可搬型メモリ内のコード情報と測定データとを読み出すようにすれば良い。ただし、この場合は、コード読み取り装置１のデータ処理制御部３２が、可搬型メモリ上のメモリ３１からのデータの読み出しには関与しないので、可搬型メモリ上のメモリ３１に測定データを記憶する段階で、コード情報と測定データとの間に関連づけがなされている必要がある。【００４０】
［第２の実施形態］
本発明の第２の実施形態について、以下に説明する。なお、第１の実施形態において説明した構成と同様の機能を有する構成については、第１の実施形態において使用した参照符号を付記し、その詳細な説明を省略する。【００４１】
本実施形態にかかるコード読み取り装置１は、コード情報や測定データを、所定の期間、あるいは操作者が削除指示を入力するまではメモリ３１に保持しておくことにより、コード情報の読み取りの手間を省くことができるように構成されている。例えば、第１の実施形態で示した具体例のように、看護師が複数の病棟を巡回して測定データを収集するような場合、巡回する病棟がいつも同じであれば、毎回病棟コードを読み取る必要はない。【００４２】
そこで、本実施形態にかかるコード読み取り装置１のデータ処理制御部３２は、以下のように動作する。図７は、本実施形態にかかるコード読み取り装置１の動作を示すフローチャートである。【００４３】
本実施形態においては、最初に、操作者が、コード情報の読み取りを行うかどうかを選択入力する（ステップＳ１０）。例えば、図５に示したように液晶ディスプレイ１９を備えた構成であれば、この液晶ディスプレイ１９に、コード情報の読み取りを行うか否かを問い合わせるメッセージ等を表示し、操作者に選択入力を行わせれば良い。あるいは、コード情報の読み取りを行いたい場合に押す特別な機械的なスイッチをコード読み取り装置１に設け、コード情報の読み取りが必要な場合には、操作者がこのスイッチを押すようにしても良い。【００４４】
例えば、コード読み取り装置１を最初に用いる場合は、上記のステップ１０において、コード情報の読み取りを行う旨を選択入力することとなる。この場合、第１の実施形態と同様に、まず、病棟コードを表すバーコードが印刷されたカード等を用いて、看護師が、例えば病棟Ａの病棟コードを表すバーコードを読み取る。読み取られた病棟Ａの病棟コードは、メモリ３１の領域３１１に記憶される（ステップＳ１１）。次に、看護師は、コード読み取り装置１を持って病棟Ａを巡回し、第１の実施形態において説明した手順と同様の手順により、病棟Ａの患者の血糖計２から測定データを収集する（ステップＳ１２〜Ｓ１３）。また、病棟Ａの測定データ収集が完了すると、さらに、病棟Ｂの病棟コードを表すバーコードを読み取り、第１の実施形態において説明した手順と同様の手順により、病棟Ｂの患者の血糖計２から測定データを収集する。そして、病棟Ａ，Ｂの全患者の血糖計２からデータ収集が完了すると（ステップＳ１４においてＹｅｓ）、第１の実施形態と同様に、パーソナルコンピュータへコード読み取り装置１を接続することにより、コード読み取り装置１のメモリ３１に格納されているデータがパーソナルコンピュータへ送出される（ステップＳ１５）。【００４５】
ここで、本実施形態においては、ステップＳ１５においてメモリ３１に格納されていたデータがパーソナルコンピュータへ送出された後も、メモリ３１のデータは削除されずに残される。なお、メモリ３１のデータをいつまで保存しておくかは、メモリ容量にも依存するが、メモリ３１のデータを保持すべき期間を設定できるようにしても良いし、操作者がメモリ３１のデータを消去するよう明示的な指示を入力するまではデータを保存するようにしても良い。【００４６】
上述のように、一旦コード情報の読み取りが行われると、次回にデータ収集を行う際には、看護師はコード情報の読み取りを行わなくても良い。すなわち、例えば、上述したステップＳ１１〜Ｓ１５にしたがって一旦測定データの収集を行った翌日に、再度測定データの収集を行う場合、看護師は、上記のステップＳ１０において、バーコードの読み取りを行わない方を選択入力する。すると、処理はステップＳ１６へすすむ。ステップＳ１６において、患者の血糖計２から測定データが収集される（ステップＳ１６）。第１の実施形態において説明したとおり、この血糖計２の測定データは、血糖計ＩＤと共にコード読み取り装置１へ読み出される。コード読み取り装置１のデータ処理制御部３２は、ここで読み出した血糖計ＩＤを検索キーとして、メモリ３１のデータ記憶領域３１２を検索し、同じ血糖計ＩＤを有する測定データが登録されているかどうかを判断する（ステップＳ１７）。【００４７】
ステップＳ１７の判断の結果がＮｏ、すなわち、新たに収集した測定データと同じ血糖計ＩＤを持つ測定データがメモリ３１のデータ記憶領域３１２に登録されていなければ、コード読み取り装置１から操作者へ指示を出すことにより、操作者に、コード情報（病棟コード）の読み取り操作を行わせる（ステップＳ１８）。なお、操作者への指示は、コード読み取り装置１の液晶ディスプレイ１９に指示メッセージを出したり、音声で指示を出したりする等、任意の方法によって行うことができる。ここで、読み取ったコード情報は、後述するステップＳ１９において、前記の新たに収集した測定データに関連づけて、メモリ３１へ記録される。【００４８】
一方、ステップＳ１７の結果がＹｅｓであれば、データ記憶領域３１２においてその測定データに関連付けられているコード情報（病棟コード）を取得し、取得した病棟コードを、今回ステップＳ１６において収集した測定データの病棟コードとして関連付けて、メモリ３１へ記録する（ステップＳ１９）。【００４９】
そして、血糖計２からのデータ収集が完了すると（ステップＳ２０）、処理はステップＳ１５へ進み、メモリ３１のデータがパーソナルコンピュータへ送出される。【００５０】
なお、本実施形態においては、ステップＳ１５においてメモリ３１からデータを読み出してパーソナルコンピュータへ送出する際には、メモリ３１には過去のデータも残留しているので、過去に送出済みのデータは除外して、新たな測定データのみを抽出して読み出すことが好ましい。このために、メモリ３１のデータ記憶領域３１２において、それぞれの測定データレコードに対して、そのレコードがパーソナルコンピュータへ送出済みか否かを表すフラグを設けること等が考えられる。【００５１】
以上のように、第２の実施形態にかかるコード読み取り装置１によれば、新たに収集した測定データと同じ血糖計ＩＤを有する過去の測定データがメモリ３１に格納されていれば、前記過去の測定データに関連付けられているコード情報を、新たに収集した測定データのコード情報として用いることにより、毎回コード情報を読み取る必要がなくなるので、操作者の手間を軽減することができる。【００５２】
なお、図７に示した例では、新たなデータに対応するコード情報が読み取られているか否かを判断可能とするために、ステップＳ１０において、コード情報の読み取り操作を行うか否かを操作者に選択させるものとした。しかし、このような明示的な選択を操作者に行わせる代わりに、ステップＳ１５において測定データの送出が完了した際に、メモリ３１のコード情報記憶領域３１１の内容をクリアし、次回からは、コード情報記憶領域３１１に有意なコード情報が記憶されているか否かによって、新たなデータに対応するコード情報の読み取りが行われたか否かを判断するようにしても良い。【００５３】
［第３の実施形態］
本発明のさらに他の実施形態について、以下に説明する。【００５４】
本実施形態にかかるコード読み取り装置１は、このコード読み取り装置１に直接装着されるデータ保持装置からだけではなく、そのデータ保持装置に接続される他の装置、またはそのデータ保持装置と通信可能な他の装置からも、間接的にデータを収集する構成である。そのような「他の装置」の例としては、例えば、血糖計２と連動して用いられるインシュリンポンプが挙げられる。インシュリンポンプとは、糖尿病患者の腹部等に導入された細管に接続され、微量（基礎分泌量に相当する量）のインシュリンを常時供給し続ける装置である。【００５５】
図８に示すように、本実施形態においては、インシュリンポンプ４は、血糖計２に接続可能に構成されている。また、本実施形態の血糖計２は、皮下埋め込み型のセンサを有する血糖計であり、患者の血糖値を常時測定することができる。なお、このような埋め込み型のセンサを有する血糖計の場合、血糖計２の本体は、患者の皮下に埋め込まれたセンサとケーブルを介した通信、あるいは無線通信が可能に構成されている。特に、後者の無線通信の場合、血糖計２の本体部分は、例えば腕時計や携帯情報端末装置等の、血糖値測定以外の機能を兼ね備えた装置として構成することも可能である。また、血糖計２とインシュリンポンプ４も、無線通信でデータや命令を送受信するよう構成されていても良い。【００５６】
本実施形態においては、血糖計２が患者の血糖値の変動を監視し、インシュリンポンプ４が、血糖計２で測定された血糖値に基づいて、患者の血糖値を適切にコントロールできるように、インシュリンの供給量を制御する。なお、インシュリンポンプ４からは、インシュリン供給状況データが随時、血糖計２へ送られる。インシュリン供給状況データとは、例えば、インシュリンの供給時刻や供給量等のデータの他に、インシュリンポンプ４を特定する装置ＩＤ等を含んでもよい。血糖計２は、内部のメモリに、インシュリンポンプ４から受け取ったインシュリン供給状況データを蓄積記憶する。そして、血糖計２にコード読み取り装置１が接続されたときに、第１の実施形態において説明した血糖値の測定データと共に、内部のメモリに記憶していたインシュリン供給状況データも、コード読み取り装置１へ送出する。【００５７】
本実施形態の構成によれば、コード読み取り装置１を血糖計２へ接続することにより、血糖計２を介して、インシュリンポンプ４におけるインシュリン供給状況データも収集することができる。【００５８】
なお、本実施形態においては、血糖計２がデータを収集して保持する装置の例としてインシュリンポンプ４を例示した。しかし、インシュリンポンプの他にも、これらに限定されないが、例えば、脈拍計、歩数計、血圧計、または心電計等の装置を、血糖計２がデータを収集して保持する装置として使用することが可能である。【００５９】
なお、上記の各実施形態は、本発明の一具体例に過ぎず、本発明の技術的範囲を限定するものではない。例えば、上述の説明においては、コード情報としてバーコードを例示したが、コード情報はこれに限定されず、コードリーダもコード情報の種類に応じて任意のリーダを用いればよい。例えば、コード情報として二次元バーコードを用いる場合は、二次元バーコードを読み取るリーダを設ければ良い。ＱＲコード等の三次元バーコードを用いることも可能である。また、上記のバーコードやＯＣＲのような光学式読み取りが可能なコード情報に限らず、ＲＦＩＤや磁気コード等の電磁波または磁気を用いて読み取られるコードを用いることも可能である。【００６０】
さらに、上記の各実施形態においては、病院で看護師が患者の血糖計から測定データを収集する具体例を示したが、本発明のコード読み取り装置の用途はこれに限定されず、任意の場所において任意のデータを収集するために利用することができる。
【図１Ａ】
2009099148.tif 000003
【図１Ｂ】
2009099148.tif 000004
【図２Ａ】
2009099148.tif 000005
【図２Ｂ】
2009099148.tif 000006
【図３】
2009099148.tif 000007
【図４】
2009099148.tif 000008
【図５】
2009099148.tif 000009
【図６】
2009099148.tif 000010
【図７】
2009099148.tif 000011
【図８】
2009099148.tif 000012
【国際調査報告】
2009099148.tif 000013
2009099148.tif 000014
2009099148.tif 000015
2009099148.tif 000016